(57)【要約】【課題】リニューアル作業の工期を短縮し、リニューアル費用を削減することができるエレベータ巻上機のリニューアル方法を提供する。【解決手段】実施の形態のよるエレベータ巻上機のリニューアル方法は、既設主ロープ４を取り外す工程と、既設トラクションシーブ２２を有する既設巻上機２０を撤去することなく、既設巻上機２０のロープ巻上機能を取り除く工程と、を備えている。また、エレベータ巻上機のリニューアル方法は、新設トラクションシーブ４２を有する新設巻上機４０を設置する工程と、新設主ロープ７を、既設トラクションシーブ２２および新設トラクションシーブ４２に巻き掛ける工程と、を備えている。新設主ロープ７を巻き掛ける工程の後において、既設トラクションシーブ２２は、そらせシーブとして利用されている。【選択図】図２
2017100842.tif 000002
【特許請求の範囲】
【請求項１】
マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法。
【請求項２】
前記既設巻上機は、昇降路の上部に設置されており、釣合錘に、一対の錘シーブが設けられており、前記新設巻上機を設置する工程において、前記新設巻上機は、前記昇降路の上部に設置され、前記新設主ロープを巻き掛ける工程において、前記新設主ロープは、一方の前記錘シーブ、前記新設トラクションシーブ、他方の前記錘シーブに、この配列順で巻き掛けられることを特徴とする請求項１に記載のエレベータ巻上機のリニューアル方法。
【請求項３】
前記既設巻上機は、昇降路の下部に設けられており、前記新設巻上機を設置する工程の前に、前記昇降路の上部に設けられていた既設そらせシーブが撤去され、前記新設巻上機を設置する工程において、前記新設巻上機は、前記昇降路の上部に設置されることを特徴とする請求項１に記載のエレベータ巻上機のリニューアル方法。
【請求項４】
前記新設主ロープを巻き掛ける工程の後において、前記既設巻上機は、ブレーキ機能を有していることを特徴とする請求項１乃至３のいずれか一項に記載のエレベータ巻上機のリニューアル方法。
【請求項５】
マシンルームレスエレベータ装置におけるエレベータ巻上機のリニューアル方法であって、既設主ロープを取り外す工程と、既設巻上機を撤去することなく、前記既設巻上機のロープ巻上機能を取り除くとともに、前記既設巻上機から既設トラクションシーブを撤去する工程と、前記既設トラクションシーブが撤去された前記既設巻上機に、新設そらせシーブを設置する工程と、新設トラクションシーブを有する新設巻上機を設置する工程と、新設主ロープを、前記新設そらせシーブおよび前記新設トラクションシーブに巻き掛ける工程と、を備えたことを特徴とするエレベータ巻上機のリニューアル方法。
【請求項６】
マシンルームレスエレベータ装置におけるエレベータ巻上機のリニューアル方法であって、既設主ロープを取り外す工程と、既設トラクションシーブを有する既設巻上機を撤去する工程と、新設トラクションシーブを有する新設巻上機を設置する工程と、釣合錘の錘枠から既設錘シーブを撤去する工程と、撤去された前記既設巻上機を、前記既設錘シーブが撤去された前記錘枠に設置する工程と、新設主ロープを、前記新設トラクションシーブ、および前記錘枠に設置された前記既設巻上機の前記既設トラクションシーブに巻き掛ける工程と、を備え、前記新設主ロープを巻き掛ける工程の後において、前記既設トラクションシーブは、錘シーブとして利用されることを特徴とするエレベータ巻上機のリニューアル方法。
【請求項７】
マシンルームレスエレベータ装置におけるエレベータ巻上機のリニューアル方法であって、既設主ロープを取り外す工程と、既設巻上機ベースから、既設巻上機を撤去する工程と、前記既設巻上機が撤去された前記既設巻上機ベース上に、新設そらせシーブを設置する工程と、新設トラクションシーブを有する新設巻上機を設置する工程と、新設主ロープを、前記新設そらせシーブおよび前記新設トラクションシーブに巻き掛ける工程と、を備えたことを特徴とするエレベータ巻上機のリニューアル方法。
【発明の詳細な説明】
【技術分野】
【０００１】
本発明の実施の形態は、エレベータ巻上機のリニューアル方法に関する。
【背景技術】
【０００２】
近年、巻上機を機械室に設置することなく、昇降路内に設置するマシンルームレスエレベータ装置が主流となっている。マシンルームレスエレベータ装置は、市場に登場してから２０年余りが経過している。このため、初期に登場したマシンルームレスエレベータ装置は、寿命に近づいた機器の交換や、新型の機器に交換することを目的としたリニューアルのタイミングに近づいている。
【先行技術文献】
【特許文献】
【０００３】
【特許文献１】特開２００９−１６７９５７号公報
【特許文献２】特許第４３３９５７８号公報
【発明の概要】
【発明が解決しようとする課題】
【０００４】
しかしながら、マシンルームレスエレベータ装置におけるリニューアルでは、既設の巻上機、既設のそらせシーブ、および既設の釣合錘の昇降路内の用品を撤去して搬出し、新設の巻上機、新設のそらせシーブ、および新設の釣合錘を昇降路内に設置している。この場合、既設の用品、特に重量物である巻上機や、巻上機が設置される巻上機ベースの撤去作業および搬出作業に、多大な労力と時間が費やされる。リニューアル作業の工期を短縮するためには、作業者の増員が効果的であるが、人件費が増大してリニューアル費用に反映されるという問題があった。
【０００５】
本発明は、このような点を考慮してなされたものであり、リニューアル作業の工期を短縮し、リニューアル費用を削減することができるエレベータ巻上機のリニューアル方法を提供することを目的とする。
【課題を解決するための手段】
【０００６】
実施の形態によるエレベータ巻上機のリニューアル方法は、マシンルームレスエレベータ装置におけるエレベータ巻上機をリニューアルする。このリニューアル方法は、既設主ロープを取り外す工程と、既設トラクションシーブを有する既設巻上機を撤去することなく、既設巻上機のロープ巻上機能を取り除く工程と、を備えている。また、このリニューアル方法は、新設トラクションシーブを有する新設巻上機を設置する工程と、新設主ロープを、既設トラクションシーブおよび新設トラクションシーブに巻き掛ける工程と、を備えている。新設主ロープを巻き掛ける工程の後において、既設トラクションシーブは、そらせシーブとして利用されている。
【０００７】
また、実施の形態によるエレベータ巻上機のリニューアル方法は、マシンルームレスエレベータ装置におけるエレベータ巻上機をリニューアルする。このリニューアル方法は、既設主ロープを取り外す工程と、既設巻上機を撤去することなく、既設巻上機のロープ巻上機能を取り除くとともに、既設巻上機から既設トラクションシーブを撤去する工程と、を備えている。また、このリニューアル方法は、既設トラクションシーブが撤去された既設巻上機に、新設そらせシーブを設置する工程と、新設トラクションシーブを有する新設巻上機を設置する工程と、を備えている。さらに、このリニューアル方法は、新設主ロープを、新設そらせシーブおよび新設トラクションシーブに巻き掛ける工程を備えている。
【０００８】
また、実施の形態によるエレベータ巻上機のリニューアル方法は、マシンルームレスエレベータ装置におけるエレベータ巻上機をリニューアルする。このリニューアル方法は、既設主ロープを取り外す工程と、既設トラクションシーブを有する既設巻上機を撤去する工程と、新設トラクションシーブを有する新設巻上機を設置する工程と、釣合錘の錘枠から既設錘シーブを撤去する工程と、を備えている。また、このリニューアル方法は、撤去された既設巻上機を、既設錘シーブが撤去された錘枠に設置する工程と、新設主ロープを、新設トラクションシーブ、および錘枠に設置された既設巻上機の既設トラクションシーブに巻き掛ける工程と、を備えている。新設主ロープを巻き掛ける工程の後において、既設トラクションシーブは、錘シーブとして利用されている。
【０００９】
また、実施の形態によるエレベータ巻上機のリニューアル方法は、マシンルームレスエレベータ装置におけるエレベータ巻上機をリニューアルする。このリニューアル方法は、既設主ロープを取り外す工程と、既設巻上機ベースから、既設巻上機を撤去する工程と、既設巻上機が撤去された既設巻上機ベースに、新設そらせシーブを設置する工程と、を備えている。また、このリニューアル方法は、新設トラクションシーブを有する新設巻上機を設置する工程と、新設主ロープを、新設そらせシーブおよび新設トラクションシーブに巻き掛ける工程と、を備えている。
【図面の簡単な説明】
【００１０】
【図１】図１は、本発明の第１の実施の形態におけるリニューアル前のエレベータ装置の全体概略構成を示す図である。
【図２】図２は、本発明の第１の実施の形態におけるリニューアル後のエレベータ装置の全体概略構成を示す図である。
【図３】図３は、本発明の第２の実施の形態におけるリニューアル前のエレベータ装置の全体概略構成を示す図である。
【図４】図４は、本発明の第２の実施の形態におけるリニューアル後のエレベータ装置の全体概略構成を示す図である。
【図５】図５は、本発明の第３の実施の形態におけるリニューアル後の新設巻上機およびそらせシーブの概略構成を示す図である。
【図６】図６は、本発明の第４の実施の形態におけるリニューアル後のエレベータ装置の全体概略構成を示す図である。
【図７】図７は、図６の変形例を示す図である。
【図８】図８は、本発明の第５の実施の形態におけるリニューアル後のエレベータ装置の全体概略構成を示す図である。
【図９】図９は、図８の変形例を示す図である。
【発明を実施するための形態】
【００１１】
以下、図面を参照して本発明の実施の形態について説明する。
【００１２】
（第１の実施の形態）
図１および図２を用いて、第１の実施の形態におけるエレベータ巻上機のリニューアル方法（以下、単にリニューアル方法と記す）について説明する。
【００１３】
ここでは、まず、本実施の形態によるリニューアル方法が適用されるリニューアル前のマシンルームレスエレベータ装置（以下、単にエレベータ装置と記す）について図１を用いて説明する。
【００１４】
図１に示すように、エレベータ装置１は、昇降路２内を昇降自在な乗りかご３と、乗りかご３に既設主ロープ４を介して連結された釣合錘１０と、既設主ロープ４を介して乗りかご３及び釣合錘１０を昇降させる既設巻上機２０と、を備えている。
【００１５】
乗りかご３には、既設主ロープ４が巻き掛けられる一対のかごシーブ５が設けられている。
【００１６】
釣合錘１０は、錘枠１１を有しており、錘枠１１には、既設主ロープ４が巻き掛けられる一対の既設錘シーブ（錘シーブ）１２ａ、１２ｂが設置されている。また、錘枠１１には、複数の錘体１３が設置されており、乗りかご３の質量との釣合を図っている。
【００１７】
本実施の形態においては、既設巻上機２０は、機械室ではなく昇降路２の上部に設けられている。より具体的には、昇降路２の上部に既設巻上機ベース２１が設けられており、既設巻上機２０はこの既設巻上機ベース２１上に設置されている。
【００１８】
既設巻上機２０は、既設主ロープ４が巻き掛けられる既設トラクションシーブ２２を有している。既設巻上機２０は、既設トラクションシーブ２２に巻き掛けられた既設主ロープ４を巻き上げる。また、既設巻上機２０は、既設巻上機ブレーキ部２３を有している。
【００１９】
既設主ロープ４の両端は、昇降路２の上部に設けられたヒッチ部（図示せず）に取り付けられている。既設主ロープ４は、一方（図１の左側）のヒッチ部から他方（図１の右側）のヒッチ部に向かって、一対のかごシーブ５、既設巻上機２０の既設トラクションシーブ２２、一対の既設錘シーブ１２ａ、１２ｂに、この配列順で巻き掛けられている。
【００２０】
このような構成において、既設巻上機２０が既設トラクションシーブ２２を回転駆動することにより、既設主ロープ４が巻き上げられ、既設主ロープ４を介して乗りかご３および釣合錘１０がそれぞれ昇降する。これにより、乗りかご３は、エレベータ装置１が設置された建物の複数の階床にそれぞれ設けられた乗場間を昇降する。
【００２１】
ところで、昇降路２内には、上下方向に延びるかごガイドレール６が設けられている。このかごガイドレール６に沿って乗りかご３が昇降するようになっている。図１に示すように、本実施の形態においては、かごガイドレール６の上部に既設巻上機ベース２１が取り付けられている。なお、図１に示す例では、かごガイドレール６を模式的に示している。また、図示はしないが、昇降路２内には、上下方向に延びる錘ガイドレールが設けられており、この錘ガイドレールに沿って釣合錘１０が昇降するようになっている。上述した既設巻上機ベース２１は、この錘ガイドレールの上部に取り付けられていてもよい。
【００２２】
次に、図１に示すエレベータ装置１をリニューアルした後のエレベータ装置１ついて図２を用いて説明する。
【００２３】
図２に示すエレベータ装置１は、ロープ巻上機能が取り除かれた既設巻上機２０と、新設主ロープ７を介して乗りかご３および釣合錘１０を昇降させる新設巻上機４０と、を備えている。
【００２４】
既設巻上機２０は、昇降路２内から撤去されることなく、昇降路２内に残存している。しかしながら、既設巻上機２０は主ロープを巻き上げるロープ巻上機能が取り除かれている。そして、既設巻上機２０の既設トラクションシーブ２２には、新設主ロープ７が巻き掛けられており、既設トラクションシーブ２２は、リニューアル後のエレベータ装置１においては、そらせシーブとして利用されている。また、リニューアル後の既設巻上機２０は、ブレーキ機能を有している。より具体的には、新設主ロープ７を巻き掛ける工程の後において、既設巻上機２０は、ブレーキ機能を有している。すなわち、既設巻上機２０には、既設巻上機ブレーキ部２３が残されている。既設巻上機２０のブレーキ機能は、後述する新設巻上機４０の新設巻上機ブレーキ部４３に連動するようになっている。
【００２５】
新設巻上機４０は、機械室ではなく昇降路２の上部に設けられている。より具体的には、昇降路２の上部に新設巻上機ベース４１が設けられており、新設巻上機４０はこの新設巻上機ベース４１上に設置されている。本実施の形態では、新設巻上機４０は、既設巻上機２０と同等の高さ位置に設置されている。
【００２６】
新設巻上機４０は、新設主ロープ７が巻き掛けられる新設トラクションシーブ４２を有している。新設巻上機４０は、新設トラクションシーブ４２に巻き掛けられた新設主ロープ７を巻き上げる。また、新設巻上機４０は、新設巻上機ブレーキ部４３を有している。
【００２７】
新設主ロープ７の両端は、昇降路２の上部に設けられたヒッチ部（図示せず）に取り付けられている。新設主ロープ７は、一方（図２の左側）のヒッチ部から他方（図２の右側）のヒッチ部に向かって、一対のかごシーブ５、そらせシーブ（既設巻上機２０の既設トラクションシーブ２２）、一方（図２の左側）の既設錘シーブ１２ａ、新設巻上機４０の新設トラクションシーブ４２、他方（図２の右側）の既設錘シーブ１２ｂに、この配列順で巻き掛けられている。
【００２８】
このような構成において、新設巻上機４０が新設トラクションシーブ４２を回転駆動することにより、新設主ロープ７が巻き上げられ、新設主ロープ７を介して乗りかご３および釣合錘１０がそれぞれ昇降する。これにより、乗りかご３は、エレベータ装置１が設置された建物の複数の階床にそれぞれ設けられた乗場間を昇降する。このように、ロープ巻上機能が、既設巻上機２０から新設巻上機４０に移されている。
【００２９】
ところで、図２に示すように、本実施の形態においては、かごガイドレール６に新設巻上機ベース４１が取り付けられている。なお、新設巻上機ベース４１は、錘ガイドレールに取り付けられていてもよい。
【００３０】
次に、このような構成からなる本実施の形態における作用について説明する。ここでは、図１に示すリニューアル前のエレベータ装置１から図２に示すリニューアル後のエレベータ装置１にリニューアルするための、エレベータ巻上機のリニューアル方法について説明する。
【００３１】
まず、既設主ロープ４が、一対のかごシーブ５、既設巻上機２０の既設トラクションシーブ２２、一対の既設錘シーブ１２ａ、１２ｂ、およびヒッチ部から取り外される。
【００３２】
続いて、既設巻上機２０の主ロープを巻き上げるロープ巻上機能が取り除かれる。このとき、例えば、図示しない制御装置に接続されていた制御配線を取り除いてもよく、または当該制御装置の制御回路を改造してもよい。なお、既設巻上機２０のブレーキ機能は取り除かれない。また、既設巻上機２０および既設巻上機ベース２１は昇降路２内から撤去されることなく、昇降路２内に残存する。既設巻上機２０の既設トラクションシーブ２２は、そらせシーブとして利用される。
【００３３】
次に、新設巻上機ベース４１上に、新設トラクションシーブ４２を有する新設巻上機４０が設置される。この場合、まず、昇降路２の上部に、新設巻上機４０の新設巻上機ベース４１が取り付けられる。続いて、新設巻上機ベース４１上に新設巻上機４０が取り付けられる。
【００３４】
その後、新設主ロープ７が、既設巻上機２０の既設トラクションシーブ２２、および新設巻上機４０の新設トラクションシーブ４２に巻き掛けられる。このとき、例えば、新設主ロープ７の一端が、一方（図２の左側）のヒッチ部に取り付けられる。続いて、新設主ロープ７が、一対のかごシーブ５、既設巻上機２０の既設トラクションシーブ２２、一方の既設錘シーブ１２ａ、新設巻上機４０の新設トラクションシーブ４２、他方の既設錘シーブ１２ｂに、この配列順となるように巻き掛けられる。なお、新設主ロープ７が、一対のかごシーブ５、既設巻上機２０の既設トラクションシーブ２２、一方の既設錘シーブ１２ａ、新設巻上機４０の新設トラクションシーブ４２、他方の既設錘シーブ１２ｂに、この配列順となるように巻き掛けられれば、新設主ロープ７を各機器に巻き掛ける順番は任意である。その後、新設主ロープ７の他端が、他方（図２の右側）のヒッチ部に取り付けられる。
【００３５】
このようにして、リニューアル作業が完了し、図２に示すエレベータ装置１が得られる。エレベータ装置１の新設主ロープ７は、既設巻上機２０ではなく新設巻上機４０によって巻き上げられるようになり、ロープ巻上機能を有する巻上機が既設巻上機２０から新設巻上機４０に交換される。この場合、昇降している乗りかご３および釣合錘１０を停止させる場合には、新設巻上機４０の新設巻上機ブレーキ部５３だけでなく、既設巻上機２０の既設巻上機ブレーキ部２３を作動させて、乗りかご３および釣合錘１０を制動することができる。
【００３６】
このように本実施の形態によれば、既設巻上機２０を撤去することなく、既設巻上機２０の既設トラクションシーブ２２が、昇降路２内でそらせシーブとして利用されている。このことにより、既設巻上機２０および既設巻上機ベース２１を有効利用することができ、既設巻上機２０および既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
【００３７】
また、本実施の形態によれば、新設主ロープ７が、既設トラクションシーブ２２、一方の既設錘シーブ１２ａ、新設トラクションシーブ４２、他方の既設錘シーブ１２ｂに、この配列順で巻き掛けられている。このことにより、新設主ロープ７が、既設トラクションシーブ２２、新設トラクションシーブ４２に、この配列順で巻き掛けられる場合よりも、新設トラクションシーブ４２に巻き掛けられる新設主ロープ７の巻き掛け角度を大きくすることができる。このため、新設主ロープ７と新設トラクションシーブ４２との間の摩擦（トラクション）を、効果的に発生させることができる。このため、新設主ロープ７の巻き上げに要求される所定のトラクションをより効率的に得ることができる。
【００３８】
また、本実施の形態によれば、既設巻上機２０が、ブレーキ機能を有している。このことにより、新設巻上機４０の新設巻上機ブレーキ部５３と、既設巻上機２０の既設巻上機ブレーキ部２３とによってブレーキの２重化を図ることができる。このため、制動力を増大させてエレベータ装置１の安全性を高めることができる。
【００３９】
また、本実施の形態によれば、新設巻上機４０が、昇降路２の上部に設けられている。このため、降雨等により昇降路２内が冠水した場合であっても、新設巻上機４０が冠水する事態を回避し得る。
【００４０】
なお、上述した本実施の形態においては、既設主ロープ４を取り外す工程と、既設巻上機２０のロープ巻上機能を取り除く工程と、新設巻上機４０を設置する工程と、新設主ロープ７を巻き掛ける工程と、がこの順番で行われる例について説明した。しかしながら、このことに限られることはなく、リニューアル作業が完了した後に、図２に示すエレベータ装置１が得られていれば、各工程の順番はこれに限られることはない。
【００４１】
また、上述した本実施の形態においては、既設巻上機２０および新設巻上機４０が昇降路２の上部に設けられている例について説明した。しかしながら、このことに限られることはなく、既設巻上機２０が昇降路２の上部に設けられていた場合であっても、新設巻上機４０を昇降路２の下部に設けるようにしてもよい。この場合、追加のそらせシーブを使用することにより、新設主ロープ７をかごシーブ５、新設トラクションシーブ４２および既設錘シーブ１２ａ、１２ｂに巻き掛けることができる。この場合、例えば、図３に示すような態様で、新設主ロープ７を巻き掛けることができる。このため、既設巻上機２０および既設巻上機ベース２１を有効利用することができ、既設巻上機２０および既設巻上機ベース２１の撤去および搬出を省略することができる。
【００４２】
また、上述した本実施の形態においては、釣合錘１０に、２つの既設錘シーブ１２ａ、１２ｂが設置されている例について説明した。しかしながら、このことに限られることはなく、釣合錘１０に設置される既設錘シーブは１つであってもよい。この場合、既設錘シーブは、新設主ロープ７が並列状に巻き掛けられる２つのシーブ溝群（図示せず）を含むように構成され得る。
【００４３】
（第２の実施の形態）
次に、図３および図４を用いて、本発明の第２の実施の形態におけるエレベータ巻上機のリニューアル方法について説明する。
【００４４】
図３および図４に示す第２の実施の形態においては、既設巻上機が昇降路の下部に設けられている点が主に異なり、他の構成は、図１および図２に示す第１の実施の形態と略同一である。なお、図３および図４において、図１および図２に示す第１の実施の形態と同一部分には同一符号を付して詳細な説明は省略する。
【００４５】
図３に示すように、本実施の形態のリニューアル前のエレベータ装置１においては、既設巻上機２０は、機械室ではなく昇降路２の下部に設けられている。より具体的には、昇降路２の下部に既設巻上機ベース２１が設けられており、既設巻上機２０はこの既設巻上機ベース２１上に設置されている。
【００４６】
昇降路２の上部には、２つの既設そらせシーブ５０ａ、５０ｂが設けられている。この場合、例えば、既設そらせシーブベースが設けられており、２つの既設そらせシーブ５０ａ、５０ｂは、昇降路２の上部に設けられた既設そらせシーブベースに設置されている。
【００４７】
既設主ロープ４は、一方（図３の左側）のヒッチ部から他方（図３の右側）のヒッチ部に向かって、一対のかごシーブ５、一方の既設そらせシーブ５０ａ、既設トラクションシーブ２２、他方の既設そらせシーブ５０ｂ、一対の既設錘シーブ１２ａ、１２ｂに、この配列順で巻き掛けられている。
【００４８】
次に、図３に示すエレベータ装置１をリニューアルした後のエレベータ装置１ついて図４を用いて説明する。
【００４９】
図４に示すエレベータ装置１では、２つの既設そらせシーブ５０ａ、５０ｂのうち一方（図３の右側）の既設そらせシーブ５０ｂが撤去され、新設トラクションシーブ４２を有する新設巻上機４０が設置されている。
【００５０】
新設巻上機４０は、機械室ではなく昇降路２の上部に設置されている。新設巻上機４０の新設トラクションシーブ４２は、撤去された既設そらせシーブ５０ｂが設置されていた位置に配置されることが好適である。より具体的には、昇降路２の上部に新設巻上機ベース４１が設けられており、新設巻上機４０は、この新設巻上機ベース４１上に設置されている。
【００５１】
新設主ロープ７は、一方（図４の左側）のヒッチ部から他方（図４の右側）のヒッチ部に向かって、一対のかごシーブ５、既設そらせシーブ５０ａ、既設トラクションシーブ２２、新設トラクションシーブ４２、既設錘シーブ１２ａ、１２ｂに、この配列順で巻き掛けられている。
【００５２】
次に、図３に示すリニューアル前のエレベータ装置１から図４に示すリニューアル後のエレベータ装置１にリニューアルするための、エレベータ巻上機のリニューアル方法について説明する。
【００５３】
まず、既設主ロープ４が、一対のかごシーブ５、一方の既設そらせシーブ５０ａ、既設トラクションシーブ２２、他方の既設そらせシーブ５０ｂ、一対の既設錘シーブ１２ａ、１２ｂおよびヒッチ部から取り外される。
【００５４】
続いて、新設巻上機４０を設置する前に、昇降路２の上部に設けられていた既設そらせシーブ５０ｂが撤去される。この場合、例えば、昇降路２の上部に設けられた既設そらせシーブベースから既設そらせシーブ５０ｂが撤去される。
【００５５】
次に、新設巻上機４０が、昇降路２の上部に設置される。この場合、新設巻上機４０の新設トラクションシーブ４２は、撤去された既設そらせシーブ５０ｂが設置されていた位置に配置されることが好適である。
【００５６】
その後、新設主ロープ７が、既設トラクションシーブ２２、および新設トラクションシーブ４２に巻き掛けられる。このとき、例えば、新設主ロープ７の一端が、一方（図４の左側）のヒッチ部に取り付けられる。続いて、新設主ロープ７が、一対のかごシーブ５、一方の既設そらせシーブ５０ａ、既設トラクションシーブ２２、他方の既設そらせシーブ５０ｂ、一対の既設錘シーブ１２ａ、１２ｂに、この配列順となるように巻き掛けられる。その後、新設主ロープ７の他端が、他方（図４の右側）のヒッチ部に取り付けられる。
【００５７】
このようにして、リニューアル作業が完了し、図４に示すエレベータ装置１が得られる。
【００５８】
このように本実施の形態によれば、既設巻上機２０が昇降路２の下部に設けられている場合であっても、既設巻上機２０を撤去することなく、既設巻上機２０の既設トラクションシーブ２２が、昇降路２内でそらせシーブとして利用されている。このことにより、既設巻上機２０および既設巻上機ベース２１を有効利用することができ、既設巻上機２０および既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
【００５９】
なお、上述した本実施の形態においては、既設主ロープ４を取り外す工程と、既設そらせシーブ５０ｂが撤去される工程と、新設巻上機４０が設置される工程と、新設主ロープ７を巻き掛ける工程と、がこの順番で行われる例について説明した。しかしながら、このことに限られることはなく、既設そらせシーブ５０ｂが撤去された後に、新設巻上機４０が設置されるとともに、リニューアル作業が完了した後に、図４に示すエレベータ装置１が得られていれば、各工程の順番はこれに限られることはない。
【００６０】
また、上述した本実施の形態においては、釣合錘１０に、２つの既設錘シーブ１２ａ、１２ｂが設置されている例について説明した。しかしながら、このことに限られることはなく、釣合錘１０に設置される既設錘シーブは１つであってもよい。この場合、既設錘シーブは、新設主ロープ７が並列状に巻き掛けられる２つのシーブ溝群（図示せず）を含むように構成され得る。
【００６１】
（第３の実施の形態）
次に、図５を用いて、本発明の第３の実施の形態におけるエレベータ巻上機のリニューアル方法について説明する。
【００６２】
図５に示す第３の実施の形態においては、既設トラクションシーブを撤去して、既設巻上機に新設そらせシーブを設置する点が主に異なり、他の構成は、図１および図２に示す第１の実施の形態と略同一である。なお、図５において、図１および図２に示す第１の実施の形態と同一部分には同一符号を付して詳細な説明は省略する。
【００６３】
図５に示すように、本実施の形態のリニューアルした後のエレベータ装置１においては、既設巻上機２０に新設そらせシーブ６０が設置されている。
【００６４】
既設巻上機２０は、既設トラクションシーブ２２が撤去され、この既設トラクションシーブ２２の代替えとして、既設巻上機２０に新設そらせシーブ６０が設置されている。このようにして、本実施の形態では、既設トラクションシーブ２２が新設そらせシーブ６０に交換されている。この交換は、例えば、主ロープの変更に対応させることを目的とすることができる。より具体的には、ロープ径の変更によりシーブ径を変更する場合や、シーブ溝の個数を変更する場合等に既設トラクションシーブ２２を新設そらせシーブ６０に交換することが好適である。このため、新設そらせシーブ６０のシーブ径は、既設トラクションシーブ２２のシーブ径よりも大きくてもよく、または小さくてもよい。また、新設そらせシーブ６０のシーブ溝の個数は、既設トラクションシーブ２２のシーブ溝の個数よりも多くてもよく、または少なくてもよい。
【００６５】
新設主ロープ７は、一方（図５の左側）のヒッチ部から他方（図５の右側）のヒッチ部に向かって、一対のかごシーブ５、新設そらせシーブ６０、一方の既設錘シーブ１２ａ、新設トラクションシーブ４２、他方の既設錘シーブ１２ｂに、この配列順で巻き掛けられている。
【００６６】
次に、図１に示すリニューアル前のエレベータ装置１から図６に示すリニューアル後のエレベータ装置１にリニューアルするための、エレベータ巻上機のリニューアル方法について説明する。
【００６７】
まず、既設主ロープ４が、一対のかごシーブ５、既設トラクションシーブ２２、一対の既設錘シーブ１２ａ、１２ｂ、およびヒッチ部から取り外される。
【００６８】
続いて、既設巻上機２０の主ロープを巻き上げるロープ巻上機能が取り除かれるとともに、既設巻上機２０から既設トラクションシーブ２２が撤去される。なお、既設巻上機２０のブレーキ機能は取り除かれない。また、既設巻上機２０および既設巻上機ベース２１は昇降路２内から撤去されることなく、昇降路２内に残存する。
【００６９】
次に、既設トラクションシーブ２２が撤去された既設巻上機２０に、新設そらせシーブ６０が設置される。
【００７０】
次に、新設トラクションシーブ４２を有する新設巻上機４０が、設置される。
【００７１】
その後、新設主ロープ７が、新設そらせシーブ６０および新設トラクションシーブ４２に巻き掛けられる。このとき、例えば、新設主ロープ７の一端が、一方（図５の左側）のヒッチ部に取り付けられる。続いて、新設主ロープ７が、一対のかごシーブ５（図示せず）、新設そらせシーブ６０、一方の既設錘シーブ１２ａ（図示せず）、新設トラクションシーブ４２、他方の既設錘シーブ１２ｂ（図示せず）に、この配列順となるように巻き掛けられる。その後、新設主ロープ７の他端が、他方（図５の右側）のヒッチ部に取り付けられる。
【００７２】
このようにして、リニューアル作業が完了し、図５に示すエレベータ装置１が得られる。
【００７３】
このように本実施の形態によれば、既設トラクションシーブ２２が取り外された既設巻上機２０に、新設そらせシーブ６０が設置されている。このことにより、既設トラクションシーブ２２を新設そらせシーブ６０に交換して、主ロープの変更に対応させることができる。このため、既設巻上機２０および既設巻上機ベース２１を有効利用することができる。この結果、既設巻上機２０および既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
【００７４】
なお、上述した本実施の形態においては、既設主ロープ４を取り外す工程と、既設巻上機２０のロープ巻上機能が取り除かれるとともに、既設トラクションシーブ２２が撤去される工程と、新設そらせシーブ６０が設置される工程と、新設巻上機４０が設置される工程と、新設主ロープ７を巻き掛ける工程と、がこの順番で行われる例について説明した。しかしながら、このことに限られることはなく、リニューアル作業が完了した後に、図５に示すエレベータ装置１が得られていれば、各工程の順番はこれに限られることはない。
【００７５】
（第４の実施の形態）
次に、図６を用いて、本発明の第４の実施の形態におけるエレベータ巻上機のリニューアル方法について説明する。
【００７６】
図６に示す第４の実施の形態においては、撤去された既設巻上機が、既設錘シーブが撤去された錘枠に設置される点が主に異なり、他の構成は、図１および図２に示す第１の実施の形態と略同一である。なお、図６において、図１および図２に示す第１の実施の形態と同一部分には同一符号を付して詳細な説明は省略する。
【００７７】
図６に示すように、本実施の形態のリニューアルした後のエレベータ装置１においては、釣合錘１０の錘枠１１から、一対の既設錘シーブ１２ａ、１２ｂが撤去されている。また、既設巻上機２０が設置されていた既設巻上機ベース２１から、既設トラクションシーブ２２を有する既設巻上機２０が撤去されている。そして、既設巻上機ベース２１から撤去された既設巻上機２０が、既設錘シーブ１２ａ、１２ｂが撤去された錘枠１１に設置されている。
【００７８】
錘枠１１に設置されている既設巻上機２０は、釣合錘１０の錘として機能している。そして、既設巻上機２０の既設トラクションシーブ２２には、新設主ロープ７が巻き掛けられており、既設トラクションシーブ２２は、リニューアル後のエレベータ装置１においては、錘シーブとして利用されている。すなわち、既設トラクションシーブ２２は、撤去された錘シーブ１２の代替えとして機能している。
【００７９】
新設巻上機４０は、昇降路２の上部に設置されているとともに新設トラクションシーブ４２を有している。新設巻上機４０は、既設巻上機２０が設置されていた位置に配置されることが好適である。より具体的には、昇降路２の上部に既設巻上機ベース２１が残存しており、新設巻上機４０はこの既設巻上機ベース２１上に設置されている。
【００８０】
新設主ロープ７は、一方（図６の左側）のヒッチ部から他方（図６の右側）のヒッチ部に向かって、一対のかごシーブ５、新設トラクションシーブ４２、錘枠１１に設置された既設巻上機２０の既設トラクションシーブ２２に、この配列順で巻き掛けられている。
【００８１】
次に、図１に示すリニューアル前のエレベータ装置１から図６に示すリニューアル後のエレベータ装置１にリニューアルするための、エレベータ巻上機のリニューアル方法について説明する。
【００８２】
まず、既設主ロープ４が、一対のかごシーブ５、既設巻上機２０の既設トラクションシーブ２２、一対の既設錘シーブ１２ａ、１２ｂ、およびヒッチ部から取り外される。
【００８３】
続いて、既設巻上機２０が設置されている既設巻上機ベース２１から、既設トラクションシーブ２２を有する既設巻上機２０が撤去される。撤去された既設巻上機２０のロープ巻上機能およびブレーキ機能は、取り除かれる。なお、既設巻上機ベース２１は、昇降路２内から撤去されることなく、昇降路２内に残存する。
【００８４】
次に、新設トラクションシーブ４２を有する新設巻上機４０が設置される。この場合、既設巻上機ベース２１上に新設巻上機４０が取り付けられる。
【００８５】
次に、新設巻上機４０によって新設主ロープ７を介して昇降される釣合錘１０から、釣合錘１０の錘枠１１に設置されていた既設錘シーブ１２ａ、１２ｂが撤去される。
【００８６】
次に、撤去された既設巻上機２０が、既設錘シーブ１２ａ、１２ｂが撤去された錘枠１１に設置される。このようにして、既設巻上機２０の既設トラクションシーブ２２は、錘シーブとして利用される。
【００８７】
その後、新設主ロープ７が、新設トラクションシーブ４２、および錘枠１１に設置された既設巻上機２０の既設トラクションシーブ２２に巻き掛けられる。このとき、例えば新設主ロープ７の一端が、一方（図６の左側）のヒッチ部に取り付けられる。続いて、新設主ロープ７が、一対のかごシーブ５、新設トラクションシーブ４２、既設巻上機２０の既設トラクションシーブ２２に、この配列順となるように巻き掛けられる。その後、新設主ロープ７の他端が、他方（図６の右側）のヒッチ部に取り付けられる。
【００８８】
このようにして、リニューアル作業が完了し、図６に示すエレベータ装置１が得られる。
【００８９】
このように本実施の形態によれば、既設巻上機２０を昇降路２から搬出することなく、既設巻上機２０の既設トラクションシーブ２２が、錘シーブとして利用されている。また、既設巻上機ベース２１を撤去することなく、新設巻上機４０が既設巻上機ベース２１上に設置されている。このことにより、既設巻上機２０および既設巻上機ベース２１を有効利用することができ、既設巻上機２０の搬出を省略するとともに、既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
【００９０】
また、本実施に形態によれば、既設巻上機２０が、釣合錘１０の錘として利用されている。このことにより、既設巻上機２０を有効利用することができ、既設巻上機２０の搬出を省略することができる。
【００９１】
なお、上述した本実施の形態においては、既設主ロープ４を取り外す工程と、既設巻上機２０を撤去する工程と、新設巻上機４０を設置する工程と、既設錘シーブ１２ａ、１２ｂを撤去する工程と、既設巻上機２０を設置する工程と、新設主ロープ７を巻き掛ける工程と、がこの順番で行われる例について説明した。しかしながら、このことに限られることはなく、リニューアル作業が完了した後に、図６に示すエレベータ装置１が得られていれば、各工程の順番はこれに限られることはない。
【００９２】
また、上述した本実施の形態においては、既設巻上機２０が昇降路２の上部に設けられていた例（図１参照）について説明した。しかしながら、このことに限られることはなく、既設巻上機２０が昇降路２の下部に設けられていてもよい（図３参照）。この場合においても、図７に示すように、既設巻上機２０を既設巻上機ベース２１から撤去し、撤去した既設巻上機２０を錘枠１１に設置し、既設巻上機ベース２１上に新設巻上機４０を設置すればよい。このことにより、新設主ロープ７をかごシーブ５、新設トラクションシーブ４２および既設トラクションシーブ２２に巻き掛けることができる。このため、既設巻上機２０および既設巻上機ベース２１を有効利用することができ、既設巻上機２０の搬出を省略するとともに、既設巻上機ベース２１の撤去および搬出を省略することができる。
【００９３】
また、上述した本実施の形態においては、錘枠１１に設置されていた錘体１３が、例えば、既設錘シーブ１２ａ、１２ｂを撤去する際に撤去されてもよい。
【００９４】
（第５の実施の形態）
次に、図８を用いて、本発明の第５の実施の形態におけるエレベータ巻上機のリニューアル方法について説明する。
【００９５】
図８に示す第５の実施の形態においては、既設巻上機が撤去された既設巻上機ベースに、新設そらせシーブが設置される点が主に異なり、他の構成は、図１および図２に示す第１の実施の形態と略同一である。なお、図８において、図１および図２に示す第１の実施の形態と同一部分には同一符号を付して詳細な説明は省略する。
【００９６】
図８に示すように、本実施の形態のリニューアルした後のエレベータ装置１においては、既設巻上機ベース２１から既設巻上機２０が撤去されている。しかしながら、既設巻上機ベース２１は、昇降路２内から撤去されることなく、昇降路２内に残存している。そして、既設巻上機２０が撤去された既設巻上機ベース２１上に、新設そらせシーブ７０が設置されている。
【００９７】
新設主ロープ７は、一方（図８の左側）のヒッチ部から他方（図８の右側）のヒッチ部に向かって、一対のかごシーブ５、新設そらせシーブ７０、一方の既設錘シーブ１２ａ、新設トラクションシーブ４２、他方の既設錘シーブ１２ｂに、この配列順で巻き掛けられている。
【００９８】
次に、図１に示すリニューアル前のエレベータ装置１から図８に示すリニューアル後のエレベータ装置１にリニューアルするための、エレベータ巻上機のリニューアル方法について説明する。
【００９９】
まず、既設主ロープ４が、一対のかごシーブ５、既設巻上機２０の既設トラクションシーブ２２、一対の既設錘シーブ１２ａ、１２ｂ、およびヒッチ部から取り外される。
【０１００】
続いて、既設巻上機ベース２１から、既設巻上機２０が撤去される。このとき、既設巻上機ベース２１は昇降路２内から撤去されることなく、昇降路２内に残存し、新設そらせシーブ７０のベースとして利用される。撤去された既設巻上機２０のロープ巻上機能およびブレーキ機能は、取り除かれる。
【０１０１】
次に、既設巻上機２０が撤去された既設巻上機ベース２１上に、新設そらせシーブ７０が設置される。
【０１０２】
次に、新設トラクションシーブ４２を有する新設巻上機４０が設置される。
【０１０３】
その後、新設主ロープ７を、新設そらせシーブ７０および新設トラクションシーブ４２に巻き掛ける。このとき、例えば新設主ロープ７の一端が、一方（図８の左側）のヒッチ部に取り付けられる。続いて、新設主ロープ７が、一対のかごシーブ５、新設そらせシーブ７０、一方の既設錘シーブ１２ａ、新設トラクションシーブ４２、他方の既設錘シーブ１２ｂに、この配列順となるように巻き掛けられる。その後、新設主ロープ７の他端が、他方（図８の右側）のヒッチ部に取り付けられる。
【０１０４】
このようにして、リニューアル作業が完了し、図８に示すエレベータ装置１が得られる。
【０１０５】
このように本実施の形態によれば、既設巻上機ベース２１を撤去することなく、新設そらせシーブ７０が、既設巻上機ベース２１上に設置されている。このことにより、既設巻上機ベース２１を有効利用することができ、既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
【０１０６】
なお、上述した本実施の形態においては、既設主ロープ４を取り外す工程と、既設巻上機２０を撤去する工程と、新設そらせシーブ７０を設置する工程と、新設巻上機４０を設置する工程と、新設主ロープ７を巻き掛ける工程と、がこの順番で行われる例について説明した。しかしながら、このことに限られることはなく、リニューアル作業が完了した後に、図８に示すエレベータ装置１が得られていれば、各工程の順番はこれに限られることはない。
【０１０７】
また、上述した本実施の形態においては、既設巻上機２０が昇降路２の上部に設けられていた例（図１参照）について説明した。しかしながら、このことに限られることはなく、既設巻上機２０が昇降路２の下部に設けられていてもよい（図３参照）。この場合においても、図９に示すように、既設巻上機２０を既設巻上機ベース２１から撤去し、既設巻上機ベース２１上に新設そらせシーブ７０を設置し、新設巻上機ベース４１上に新設巻上機４０を設置すればよい。このことにより、新設主ロープ７をかごシーブ５、新設そらせシーブ７０および新設トラクションシーブ４２に巻き掛けることができる。このため、既設巻上機ベース２１を有効利用することができ、既設巻上機ベース２１の撤去および搬出を省略することができる。
【０１０８】
以上述べた実施の形態によれば、リニューアル作業の工期を短縮し、リニューアル費用を削減することができる。
【０１０９】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【０１１０】
１・・・エレベータ装置、２・・・昇降路、４・・・既設主ロープ、７・・・新設主ロープ、１０・・・釣合錘、１１・・・錘枠、１２ａ、１２ｂ・・・既設錘シーブ、１３・・・錘体、２０・・・既設巻上機、２１・・・既設巻上機ベース、２２・・・既設トラクションシーブ、２３・・・既設巻上機ブレーキ部、４０・・・新設巻上機、４２・・・新設トラクションシーブ、５０ａ、５０ｂ・・・既設そらせシーブ、６０・・・新設そらせシーブ、７０・・・新設そらせシーブ
【図１】
2017100842.tif 000003
【図２】
2017100842.tif 000004
【図３】
2017100842.tif 000005
【図４】
2017100842.tif 000006
【図５】
2017100842.tif 000007
【図６】
2017100842.tif 000008
【図７】
2017100842.tif 000009
【図８】
2017100842.tif 000010
【図９】
2017100842.tif 000011